(57)【要約】【課題】  気象条件等、自動販売機の使用環境の変化に追従して光源の光色制御を可能とし、商品見本の視認性の向上をはかる。【解決手段】  照明装置２を、商品見本を照明する所定の方向に複数配列された３原色光源２１と、３原色光源２１の周辺光量、温度、湿度のそれぞれを測定するセンサ部２２と、センサ部２２により測定され、取得される、光量、温度、湿度の組み合わせに応じて決まる条件に従い３原色光源２１の光色制御を行う制御部２０と、により構成した。【選択図】図３
2011123628.tif 000002
【特許請求の範囲】
【請求項１】
自動販売機における商品見本を照明する少なくとも１組の３原色光源と、
前記３原色光源の周辺光量、温度、湿度のそれぞれを測定するセンサ部と、
前記センサ部により測定され、取得される、光量、温度、湿度の組み合わせに応じて決まる条件に従い前記３原色光源の光色制御を行う制御部と、
を備えたことを特徴とする自動販売機の照明装置。
【請求項２】
前記制御部は、
予め定められた複数の色調パターンを記憶する記憶部を含み、
前記センサ部によって測定される光量の条件と、前記測定される温度により分類される条件と、及び前記測定される湿度により更に分類される条件との組み合わせに対応する色合いを、前記色調パターンに基づいて決定し、
３原色光源の光色を前記決定した色合いになるように制御する
ことを特徴とする請求項１記載の自動販売機の照明装置。
【請求項３】
前記センサ部は、
更に、人の接近を検知する近接センサを含み、
前記制御部は、
前記近接センサの検知結果によっては、前記３原色光源を白色光に変更することを特徴とする請求項１または請求項２記載の自動販売機の照明装置。
【請求項４】
商品見本を照明する少なくとも１組の３原色光源と、
前記３原色光源の周辺光量、温度、湿度のそれぞれを測定するセンサ部と、
前記センサ部により測定され、取得される、光量、温度、湿度の組み合わせに応じて決まる条件に従い前記３原色光源の光色制御を行う制御部と、
を備えたことを特徴とする自動販売機。
【請求項５】
前記制御部は、
予め定められた複数の色調パターンを記憶する記憶部を含み、
前記センサ部によって測定される光量の条件と、前記測定される温度により分類される条件と、及び前記測定される湿度により更に分類される条件との組み合わせに対応する色合いを、前記色調パターンに基づいて決定し、
３原色光源の光色を前記決定した色合いになるように制御する
ことを特徴とする請求項４記載の自動販売機。
【請求項６】
前記センサ部は、
更に、人の接近を検知する近接センサを含み、
前記制御部は、
前記近接センサの検知結果によっては、前記３原色光源を白に変更することを特徴とする請求項４または請求項５記載の自動販売機。
【請求項７】
３原色光源周辺の光量、温度、湿度のそれぞれを測定する第１のステップと、
予め定められた複数の色調パターンに基づいて、前記第１のステップで取得した測定結果から色合いを決める第２のステップと、
前記第２のステップで決めた色合いになるように３原色光源の光色を制御する第３のステップからなることを特徴とする３原色光源の光色制御方法。
【発明の詳細な説明】
【技術分野】
【０００１】
本発明は、自動販売機における商品見本を照明する３原色光源を有する照明装置、自動販売機および光色制御方法に関する。
【背景技術】
【０００２】
自動販売機における商品見本の照明装置は、省エネを考慮して蛍光灯から白色ＬＥＤ（Light  Emitting  Diode）に移行しつつある。例えば、特許文献１には、消費電力を低減することが出来、遠くからでも動作していることを容易に認識可能にするため、新たに付加される人体センサにより、人を検知したときと検知しないときとでＬＥＤアレイの照度レベルを可変とした照明制御装置及びそれを備えた自動販売機が提案されている。
【０００３】
また、Ｒ、Ｇ、Ｂ３つを１組にしたＬＥＤが１個のパッケージに封入されたフルカラーＬＥＤの出現に伴い、この３原色光源の光色を制御することによって色合いを変更して演出効果を高める技術も知られている。例えば、特許文献２には、電球色、昼白色及び昼光色の照明光を出力可能であって、かつ、それら３色全てにおいて演色性が良い照明光源を得るために、発光色の異なる複数の発光素子の発光強度比を調整して４色以上の色温度の照明光を出力する照明光源、照明システム、及び調光方式が提案されている。
【先行技術文献】
【特許文献】
【０００４】
【特許文献１】特開２００９−１２９１３６号公報
【特許文献２】特開２００６−１６４８７９号公報
【発明の概要】
【発明が解決しようとする課題】
【０００５】
しかしながら、特許文献１に開示された技術によれば、蛍光灯や白色ＬＥＤは、自動販売機利用時の気象条件等の環境に依存せず、常に一定の色合いの光を発光している。このため、天候によっては自動販売機の商品見本が離れた場所からは見えにくいという問題があった。例えば、雨の日は、アスファルトの路面に光が吸収され、自動販売機周辺は明るく感じられない場合がある。また、雨、霧、雪等の天候の時には、商品見本が見えにくく、更には、寒い時に寒さを感じる色であったり、暑い時に暑さを感じる色であったりして、購買意欲を減退させてしまうといった問題があった。
【０００６】
また、特許文献２に開示された技術によれば、色調整により多色発光は可能であるが、上記したように気象条件等環境に依存することなく常に同じ色合いで発光するため、雨、霧、雪等の悪天候時には、依然として商品見本が見えにくく、思ったほど集客効果が得られないといった問題があった。
【０００７】
そこで、本発明は上記問題点に鑑みなされたものであって、気象条件等、自動販売機の使用環境の変化に応じて色合いの変更を可能とし、自動販売機における商品見本の視認性の向上をはかった照明装置、自動販売機および光色制御方法を提供することを目的とする。
【課題を解決するための手段】
【０００８】
上記課題を解決するために、第１発明の自動販売機の照明装置は、自動販売機における商品見本を照明する少なくとも１組の３原色光源と、前記３原色光源の周辺光量、温度、湿度のそれぞれを測定するセンサ部と、前記センサ部により測定され、取得される、光量、温度、湿度の組み合わせに応じて決まる条件に従い前記３原色光色源の光色制御を行う制御部と、を備えたことを特徴とする。
【０００９】
上記した第１発明の照明装置によれば、制御部は、センサ部により測定され、取得される、光量、温度、湿度の組み合わせに応じて決まる条件に従い３原色光源の光色制御を行う。このため、気象条件等使用環境の変化に応じて光源の光色の色合いの変更を可能とし、商品見本の視認性の向上をはかった照明装置を提供することができる。
【００１０】
また、第１発明の自動販売機の照明装置において、前記制御部は、予め定められた複数の色調パターンを記憶する記憶部を含み、前記センサ部によって測定される光量の条件と、前記測定される温度により分類される条件と、及び前記測定される湿度により更に分類される条件との組み合わせに対応する色合いを、前記色調パターンに基づいて決定し、３原色光源の光色を前記決定した色合いになるように制御する。このため、気象条件等、照明装置の使用環境に応じて極め細やかな光色制御が可能となり、このとき、照明の対象となる商品を考慮した光色とすることが可能である。
【００１１】
また、第１発明の自動販売機の照明装置において、前記センサ部は、更に、人の接近を検知する近接センサを含み、前記制御部は、前記近接センサの検知結果によっては、前記３原色光源を白色光に設定変更する。このように以前の設定に拘わらず、人の接近を検知した場合に強制的に白色光に設定することで視認性が高まる。
【００１２】
また、第２発明の自動販売機は、商品見本を照明する少なくとも１組の３原色光源と、前記３原色光源の周辺光量、温度、湿度のそれぞれを測定するセンサ部と、前記センサ部により測定され、取得される、光量、温度、湿度の組み合わせに応じて決まる条件に従い前記３原色光源の光色制御を行う制御部と、を備えたことを特徴とする。
【００１３】
第２発明の自動販売機によれば、センサ部により測定され、取得される、光量、温度、湿度の組み合わせに応じて決まる条件に従い３原色光源の光色制御を行う。このため、気象条件等使用環境の変化に応じて光源の光色の色合いの変更を可能とし、商品見本の視認性の向上をはかった自動販売機を提供することができる。
【００１４】
また、第２発明の自動販売機において、前記制御部は、予め定められた複数の色調パターンを記憶する記憶部を含み、前記センサ部によって測定される光量の条件と、前記測定される温度により分類される条件と、及び前記測定される湿度により更に分類される条件との組み合わせに対応する色合いを、前記色調パターンに基づいて決定し、原色光源の光色を前記決定した色合いになるように制御する。このため、気象条件等、照明装置の使用環境に応じて極め細やかな光色制御が可能となり、このとき、商品を考慮した光色とすることが可能である。
【００１５】
また、第２発明の自動販売機において、前記センサ部は、更に、人の接近を検知する近接センサを含み、前記制御部は、前記近接センサの検知結果によっては、前記３原色光源を白色光に設定変更する。このように以前の設定に拘わらず、人の接近を検知した場合に強制的に白色光に設定することで視認性が高まる。
【００１６】
また、第３発明の３原色光源の光色制御方法は、第１発明および第２発明のいずれにも使用可能な光色制御方法であって、３原色光源周辺の光量、温度、湿度のそれぞれを測定する第１のステップと、予め定められた複数の色調パターンに基づいて、前記第１のステップで取得した測定結果から色合いを決める第２のステップと、前記第２のステップで決めた色合いになるように３原色光源の光色を制御する第３のステップからなることを特徴とする。
【００１７】
第３発明の光色制御方法によれば、予め定められた複数の色調パターンに基づいて、センサ部から取得される光量、温度、湿度の測定結果から色合いを決め、この決めた色合いになるように３原色光源の光色を制御する。このため、気象条件等使用環境の変化に応じて光源の光色の色合いの変更をすることができる。
【発明の効果】
【００１８】
本発明によれば、気象条件等使用環境の変化に対応した光源の光色の変更を可能とし、商品見本の視認性の向上をはかった照明装置、およびこの照明装置の光源の光色制御方法を提供することができる。
【図面の簡単な説明】
【００１９】
【図１】本発明を実施するための形態に係る自動販売機の外観構造を示す図である。
【図２】本発明を実施するための形態に係る自動販売機の電気系の内部構成を示すブロック図である。
【図３】本発明を実施するための形態に係る照明装置の内部構成を示すブロック図である。
【図４】本発明を実施するための形態に係る照明装置の光源の光色制御動作を示すフローチャートである。
【図５】本発明を実施するための形態に係る照明装置の色調パターンの一例を表形式で示した図である。
【発明を実施するための形態】
【００２０】
以下、添付図面を参照して、本発明を実施するための形態（以下、本実施形態）について詳細に説明する。なお、本実施形態の説明の全体を通して同じ要素には同じ番号を付している。
【００２１】
（自動販売機３０の構成）
図１は、本実施形態に係る自動販売機の外観構造を示す図である。図１では、自動販売機として一般的な缶飲料等の商品を販売する自動販売機３０が例示されている。
【００２２】
自動販売機３０の本体キャビネット（自販機本体１）内には、不図示の断熱材で囲まれた庫内に缶飲料が複数格納されており、その缶飲料の商品見本３が、照明装置２を備えたディスプレイ室に展示されている。照明装置２は、商品見本に対応して横方向一列に３原色ＬＥＤアレイ２１（３原色光源）が配置され、各商品見本を照射するようになっている。また、商品見本のそれぞれに対応して商品選択釦１１が配置されており、利用者がこの商品選択釦１１を押下することによって選択された缶飲料は、自販機本体１にて貨幣投入口４に投入された紙幣や硬貨が識別され次第、庫内から選択され、排出口５に排出される構造になっている。
【００２３】
なお、自販機本体１正面には、近接センサ、露出計、温度計、湿度計からなるセンサ部２２が取り付けられており、ここで検知された信号は照明装置２に供給される。なお、照明装置２は、工場出荷時点で自販機本体１のディスプレイ室に既に組み付けられているタイプと、単体で販売され、後にディスプレイ室に交換実装するタイプの２種類存在する。ここでは、後者を例示して説明する。
【００２４】
図２は、本実施形態に係る自動販売機の電気系の内部構成を示すブロック図である。図２によれば、自動販売機３０は、自販機本体部１と、照明装置２とにより構成される。自販機本体部１は、主制御部１０を制御中枢とし、利用者が押下することによって商品選択が行われる商品選択釦１１と、利用者によって貨幣投入口４に投入された紙幣や硬貨を識別する貨幣識別機構１２と、選択された商品を排出口５に搬送する商品選択搬送機構１３とを含む。
【００２５】
主制御部１０は、例えばマイコンにより構成され、その入力ポートを介して接続される商品選択釦１１から利用者により選択された商品の選択指示を取り込み、また、出力ポートを介して接続される貨幣識別機構１２、商品選択搬送機構１３を制御することにより、商品選択釦の押下による商品選択指示に従い、庫内に格納された商品のいずれかを選択し、選択された商品を、商品選択搬送機構１３を駆動することにより商品取り出し口５に搬送する。
【００２６】
照明装置２は、商品見本を照明するために複数配列された３原色ＬＥＤアレイ２１を備え、上記したセンサ部２２により測定され、取得される、光量、温度、湿度の組み合わせに応じて決まる条件に従い、３原色ＬＥＤ２１の調光設定を行う。詳細は後述する。
【００２７】
（照明装置２の構成）
図３は、本実施形態に係る照明装置の内部構成を示すブロック図である。図３によれば、照明装置２は、制御部２０と、３原色ＬＥＤアレイ２１と、センサ部２２と、電源部２３とを含み構成される。
【００２８】
３原色ＬＥＤアレイ２１は、赤（Ｒ）、緑（Ｇ）、青（Ｂ）の３つを１組にしたＬＥＤが１個のパッケージに封入されたもので、商品見本に対応して１以上の３原色ＬＥＤが横一列に並んだアレイ構造になっているフルカラーＬＥＤ群である。
【００２９】
センサ部２２は、温度計２２１と、湿度計２２２と、露出計２２３と、近接センサ２２４とを含み構成される。温度計２２１は、例えば、赤外線により非接触で外気温を測定し、湿度計２２２は、例えば、湿分の吸脱着による電気的性質の変化を利用した高分子箔を誘電体とした静電容量方式の湿度センサである。湿度計２２２は、他に、金属酸化物系センサ、電解質系センサがあり、その何れを使用しても良い。
【００３０】
露出計２２３は、例えば、カメラに使用される内蔵型露出計（ＴＴＬ：Through the
Lens）であり、光の反射光が撮影用レンズを通ってＣＣＤやＣＭＯＳに当たったときの光量そのものを測定する。本実施形態において、露出計２２３は、検知された光量と閾値とを比較することにより、自動販売機３０の正面前方視界が気象条件（晴天、雨、霧、雪）により良好か否かを判定するために使用される。すなわち、反射光量が閾値以上の場合は、雨や霧等の天候による視界不良とし、反射光量が閾値未満の場合は晴天時のように視界良好とする。
【００３１】
近接センサ２２４は、非接触で人の接近を検知するセンサであり、電磁誘導を利用した高周波発信型、磁石による磁気型、静電容量の変化を利用した静電容量型の３つがあり、この何れを使用しても良い。本実施形態において、近接センサ２２４は、利用者（人）を検出したことを契機に３原色ＬＥＤアレイ２１のこれまでの光色を強制的に「白」に設定して商品の視認性を高めるために使用される。
【００３２】
なお、上記したセンサ部２２を構成する温度計２２１、湿度計２２２、近接センサ２２４のそれぞれは、自動販売機３０周辺の路面照り返しや雨等の影響を受けないように配慮する必要がある。
【００３３】
電源部２３は、本実施形態では、商用電源２３１（ＡＣ１００Ｖ）と、ソーラパネル２３２による太陽光発電により生成される電力とを併用することとする。商用電源２３１により供給される電力は、変圧器２３３で電磁誘導により降圧し、ＡＣ−ＤＣ変換器２３４で直流に変換してＤＣ蓄電池２３６に蓄電する。本実施形態では、ＤＣ蓄電池２３６としてソーラパネル２３２と相性が良く充放電効率の良いＥＤＬＣ（Electrical Double-Layer Capacitor）を使用することとする。
【００３４】
一方、ソーラパネル２３２で生成された太陽光エネルギーは、逆流防止回路２３５を経てＤＣ蓄電池２３６に蓄電される。逆流防止回路２３５は、制御部２０によって制御され、晴天時にソーラパネル２３２により生成された電力がＤＣ蓄電池２３６に充電され、雨や曇天時に商用電源によって供給される電力がＤＣ蓄電池２３６に充電されるように制御する。ＬＥＤ電源２３７は、ＤＣ蓄電池２３６により放電される電力を、３原色ＬＥＤアレイ２１を駆動するのに必要な５〜１２Ｖの電圧に変換して３原色ＬＥＤアレイ２１に供給する。
【００３５】
なお、上記した電源部２３は、自販機本体１が有する電源を利用しても良い。これは、照明装置２の販売形態により異なる。例えば、照明装置２を自販機本体１に組み込み販売する場合は自販機本体１の電源を利用し、照明装置２を単体で販売する場合は上記した電源部２３を内蔵している方が好ましい。
【００３６】
制御部２０は、例えば、マイコンで構成され、プログラム制御により、センサ部２２により測定され、取得される、光量、温度、湿度の組み合わせに応じて決まる条件に従い３原色ＬＥＤアレイ２１の光色制御を行う。
【００３７】
具体的に、制御部２０は、予め定められた複数の色調パターンを記憶する記憶部２０ａを含み、センサ部２２によって測定される光量の条件と、測定される温度により分類される条件と、及び測定される湿度により更に分類される条件との組み合わせに対応する色合いを、前記色調パターンに基づいて決定し、３原色光源の光色を前記決定した色合いになるように制御する。また、制御部２０は、センサ部２２（近接センサ２２４）で人の接近を検知した場合に、３原色ＬＥＤアレイ２１を白色光に設定変更する制御も行う。
【００３８】
（照明装置２の動作）
図４は、本実施形態に係る照明装置２の光色制御動作を示すフローチャートであり、図５は、本実施形態に係る照明装置２の色調パターンの一例を表形式で示した図である。以下、図４、図５を参照しながら、図３に示す本実施形態に係る照明装置２による光色制御について詳細に説明する。
【００３９】
図４のフローチャートにおいて、センサ部２２を構成する温度計２２１、湿度計２２２、露出計２２３、近接センサ２２４のそれぞれは、常時、自販機本体１前方の気象条件等の環境情報を測定して監視している。
【００４０】
まず、センサ部２２の近接センサ２２４は、利用者の接近検知を行なう。近接センサ２２４は、利用者が自販機本体１に接近しない限りＯＦＦしている。制御部２０は、近接センサ２２４がＯＦＦしている場合（ステップＳ４０１“Ｙｅｓ”）、すなわち、利用者が自販機本体１近辺に位置していない場合、露出計２２３が測定した周辺光量、温度計２２１が測定した温度データ、湿度計２２２が測定した湿度データをそれぞれ取得する（ステップＳ４０２）。
【００４１】
次に、制御部２０は、露出計２２３により測定され取得された入力光量と、予め決められた光量閾値とを比較判定する（ステッブＳ４０３）。ここで、入力光量が光量閾値以上であれば（ステップＳ４０３“Ｙｅｓ”）制御部２０は、視界不良であると判断し、図５に表形式で示す視界不良パターン＃１〜＃４に従う光色制御を行う。すなわち、視界良好時の基準パターンより黄色系の色合いを多く含むような光色制御を行う。これは、白色系より黄色系の色がより遠くまで光が届く性質を持つためである。
【００４２】
具体的に、制御部２０は、まず、温度計２２３により測定され取得された温度データを参照する（ステップＳ４０４）。ここで、温度データが、例えば、１５〜２５℃の範囲にある「常温」の分類に属すると判定された場合（ステップＳ４０４“常温”）、制御部２０は、更に、湿度計２２２により測定され取得された湿度データを参照する（ステップＳ４０５）。
【００４３】
ここで、湿度データが、例えば、４０〜６０％の範囲にある「常湿」の分類に属すると判定された場合（ステップＳ４０５“常湿”）、制御部２０は、３原色ＬＥＤアレイ２１光色を「橙色」に設定し（ステップＳ４１０）、３原色ＬＥＤアレイ２１の発光制御を行なうことで「橙色」により商品見本の照明を行う（ステップＳ４２２）。
【００４４】
また、湿度データが、例えば、６０％以上の「多湿」の分類に属すると判定された場合（ステップＳ４０５“多湿”）、制御部２０は、３原色ＬＥＤアレイ２１の光色を「黄色」に設定し（ステップＳ４１１）、３原色ＬＥＤアレイ２１の発光制御を行なうことで「黄色」により商品見本の照明を行う（ステップＳ４２２）。更に、湿度データが、例えば、４０％以下の「低湿」の分類に属すると判定された場合（ステップＳ４０５“低湿”）、制御部２０は、３原色ＬＥＤアレイ２１の光色を「橙色」に設定し（ステップＳ４１２）、３原色ＬＥＤアレイ２１の発光制御を行なうことで「橙色」により商品見本の照明を行う（ステップＳ４２２）。
【００４５】
一方、ステップＳ４０４の温度判定処理で、温度データが、例えば、２５℃以上の「高温」の分類に属すると判定された場合（ステップＳ４０４“高温”）、制御部２０は、更に、湿度計２２２により測定され取得された湿度データを参照する（ステップＳ４０６）。
【００４６】
ここで、湿度データが、例えば、４０〜６０％の範囲にある「常湿」の分類に属すると判定された場合（ステップＳ４０６“常湿”）、制御部２０は、３原色ＬＥＤアレイ２１の光色を「青色」に設定し（ステップＳ４１３）、３原色ＬＥＤアレイ２１の発光制御を行なうことで「青色」により商品見本の照明を行う（ステップＳ４２２）。
【００４７】
また、湿度データが、例えば、６０％以上の「多湿」の分類に属すると判定された場合（ステップＳ４０６“多湿”）、制御部２０は、３原色ＬＥＤアレイ２１の光色を「黄色」に設定し（ステップＳ４１４）、３原色ＬＥＤアレイ２１の発光制御を行なうことで「黄色」により商品見本の照明を行う（ステップＳ４２２）。更に、湿度データが、例えば、４０％以下の「低湿」の分類に属すると判定された場合（ステップＳ４０６“低湿”）、制御部２０は、３原色ＬＥＤアレイ２１の光色を「青色」に設定し（ステップＳ４１５）、３原色ＬＥＤアレイ２１の発光制御を行なうことで「青色」により商品見本の照明を行う（ステップＳ４２２）。
【００４８】
また、ステップＳ４０４の温度判定処理で、温度データが、例えば、０〜１５０℃の範囲にあって、氷温の分類に属さない「低温」の分類に属すると判定された場合（ステップＳ４０４“低温”、ステップＳ４０７“Ｎｏ”）、制御部２０は、更に、湿度計２２２により測定され取得された湿度データを参照する（ステップＳ４０８）。
【００４９】
ここで、湿度データが、例えば、４０〜６０％の範囲にある「常湿」の分類に属すると判定された場合（ステップＳ４０８“常湿”）、制御部２０は、３原色ＬＥＤアレイ２１の光色を「橙色」に設定し（ステップＳ４１６）、３原色ＬＥＤアレイ２１の発光制御を行なうことで「橙色」により商品見本の照明を行う（ステップＳ４２２）。
【００５０】
また、湿度データが、例えば、６０％以上の「多湿」の分類に属すると判定された場合（ステップＳ４０８“多湿”）、制御部２０は、３原色ＬＥＤアレイ２１の光色を「黄色」に設定し（ステップＳ４１７）、３原色ＬＥＤアレイ２１の光色制御を行なうことで「黄色」により商品見本の照明を行う（ステップＳ４２２）。更に、湿度データが、例えば、４０％以下の「低湿」の分類に属すると判定された場合（ステップＳ４０８“低湿”）、制御部２０は、３原色ＬＥＤアレイ２１の光色を「黄色」に設定し（ステップＳ４１５）、３原色ＬＥＤアレイ２１の発光制御を行なうことで「黄色」により商品見本の照明を行う（ステップＳ４２２）。
【００５１】
なお、ステップＳ４０７の氷温判定処理で、温度データが、例えば、０℃以下の「氷温」の分類に属すると判定された場合（ステップＳ４０７“氷温”）、制御部２０は、更に、湿度計２２２により測定され取得された湿度データを参照する（ステップＳ４０９）。
【００５２】
ここで、湿度データが、例えば、４０〜６０％の範囲にある「常湿」の分類に属すると判定された場合（ステップＳ４０９“常湿”）、制御部２０は、３原色ＬＥＤアレイ２１の光色を「橙色」に設定し（ステップＳ４１９）、３原色ＬＥＤアレイ２１の発光制御を行なうことで「橙色」により商品見本の照明を行う（ステップＳ４２２）。
【００５３】
また、湿度データが、例えば、６０％以上の「多湿」の分類に属すると判定された場合（ステップＳ４０９“多湿”）、制御部２０は、３原色ＬＥＤアレイ２１の光色を「黄緑色」に設定し（ステップＳ４２０）、３原色ＬＥＤアレイ２１の発光制御を行なうことで「黄緑色」により商品見本の照明を行う（ステップＳ４２２）。更に、湿度データが、例えば、４０％以下の「低湿」の分類に属すると判定された場合（ステップＳ４０９“低湿”）、制御部２０は、３原色ＬＥＤアレイ２１の光色を「黄色」に設定し（ステップＳ４２１）、３原色ＬＥＤアレイ２１の発光制御を行なうことで「黄色」により商品見本の照明を行う（ステップＳ４２２）。
【００５４】
一方、ステップＳ４０３の光量判定処理において、入力光量が閾値未満であると判定されると（ステップＳ４０３“Ｎｏ”）制御部２０は、視界良好であると判断し、図５に表形式で示す視界良好パターン＃１〜＃４に従う光色制御を行う。すなわち、白色系を多く含む色合いに光色の制御を行う。但し、温度の低い寒い時期には電球色（黄色）に近づけることで暖かみ味のある色合いに光色を制御することも可能である。
【００５５】
具体的に、制御部２０は、温度計２２１により測定され取得された温度データを参照する（ステップＳ４２３）。ここで、温度データが、例えば、１５〜２５℃の範囲にある「常温」の分類に属すると判定された場合（ステップＳ４２３“常温”）、制御部２０は、更に、湿度計２２２により測定され取得された湿度データを参照する（ステップＳ４２４）。
【００５６】
ここで、湿度データが、例えば、４０〜６０％の範囲にある「常湿」の分類に属すると判定された場合（ステップＳ４２４“常湿”）、制御部２０は、３原色ＬＥＤアレイ２１の光色を「白色」に設定し（ステップＳ４２９）、３原色ＬＥＤアレイ２１の発光制御を行なうことで「白色」により商品見本の照明を行う（ステップＳ４２２）。
【００５７】
また、湿度データが、例えば、６０％以上の「多湿」の分類に属すると判定された場合（ステップＳ４２４“多湿”）、制御部２０は、３原色ＬＥＤアレイ２１の光色を「白色」に設定し（ステップＳ４３０）、３原色ＬＥＤアレイ２１の発光制御を行なうことで「白色」により商品見本の照明を行う（ステップＳ４２２）。更に、湿度データが、例えば、４０％以上の「低湿」の分類に属すると判定された場合（ステップＳ４２４“低湿”）、制御部２０は、３原色ＬＥＤアレイ２１の光色を「白色」に設定し（ステップＳ４３１）、３原色ＬＥＤアレイ２１の発光制御を行なうことで「白色」により商品見本の照明を行う（ステップＳ４２２）。
【００５８】
一方、ステップＳ４２３の温度判定処理で、温度データが、例えば、２５℃以上の「高温」の分類に属すると判定された場合（ステップＳ４２３“高温”）、制御部２０は、更に、湿度計２２２により測定され取得された湿度データを参照する（ステップＳ４２５）。
【００５９】
ここで、湿度データが、例えば、４０〜６０％の範囲にある「常湿」の分類に属すると判定された場合（ステップＳ４２５“常湿”）、制御部２０は、３原色ＬＥＤアレイ２１の光色を「青白色」に設定し（ステップＳ４３２）、３原色ＬＥＤアレイ２１の発光制御を行なうことで「青白色」により商品見本の照明を行う（ステップＳ４２２）。また、湿度データが、例えば、６０％以上の「多湿」の分類に属すると判定された場合（ステップＳ４２５“多湿”）、制御部２０は、３原色ＬＥＤアレイ２１の光色を「青白色」に設定し（ステップＳ４３３）、３原色ＬＥＤアレイ２１の発光制御を行なうことで「青白色」により商品見本の照明を行う（ステップＳ４２２）。
【００６０】
更に、湿度データが、例えば、４０％以下の「低湿」の分類に属すると判定された場合（ステップＳ４２５“低湿”）、制御部２０は、３原色ＬＥＤアレイ２１の光色を「青白色」に設定し（ステップＳ４３４）、３原色ＬＥＤアレイ２１の光色制御を行なうことで「青白色」により商品見本の照明を行う（ステップＳ４２２）。
【００６１】
また、ステップＳ４２３の温度判定処理で、温度データが、例えば、０〜１５０℃の範囲にあって、氷温の分類に属さない「低温」の分類に属すると判定された場合（ステップＳ４２３“低温”、ステップＳ４２６“Ｎｏ”）、制御部２０は、更に、湿度計２２２により測定され取得された湿度データを参照する（ステップＳ４２７）。
【００６２】
ここで、湿度データが、例えば、４０〜６０％の範囲にある「常湿」の分類に属すると判定された場合（ステップＳ４２７“常湿”）、制御部２０は、３原色ＬＥＤアレイ２１の光色を「橙白色」に設定し（ステップＳ４１６）、３原色ＬＥＤアレイ２１の発光制御を行なうことで「橙白色」により商品見本の照明を行う（ステップＳ４２２）。
【００６３】
また、湿度データが、例えば、６０％以上の「多湿」の分類に属すると判定された場合（ステップＳ４２７“多湿”）、制御部２０は、３原色ＬＥＤアレイ２１の光色を「橙白色」に設定し（ステップＳ４３６）、３原色ＬＥＤアレイ２１の光色制御を行なうことで「橙白色」により商品見本の照明を行う（ステップＳ４２２）。更に、湿度データが、例えば、４０％以下の「低湿」の分類に属すると判定された場合（ステップＳ４２７“低湿”）、制御部２０は、３原色ＬＥＤアレイ２１の光色を「橙白色」に設定し（ステップＳ４３７）、３原色ＬＥＤアレイ２１の発光制御を行なうことで「橙白色」により商品見本の照明を行う（ステップＳ４２２）。
【００６４】
なお、ステップＳ４２６の氷温判定処理で、温度データが、例えば、０℃以下の「氷温」の分類に属すると判定された場合（ステップＳ４２６“氷温”）、制御部２０は、更に、湿度計２２２により測定され取得された湿度データを参照する（ステップＳ４２８）。
【００６５】
ここで、湿度データが、例えば、４０〜６０％の範囲にある「常湿」の分類に属すると判定された場合（ステップＳ４２８“常湿”）、制御部２０は、３原色ＬＥＤアレイ２１の光色を「黄白色」に設定し（ステップＳ４３８）、３原色ＬＥＤアレイ２１の発光制御を行なうことで「黄白色」により商品見本の照明を行う（ステップＳ４２２）。
【００６６】
また、湿度データが、例えば、６０％以上の「多湿」の分類に属すると判定された場合（ステップＳ４２８“多湿”）、制御部２０は、３原色ＬＥＤアレイ２１の光色を「黄白色」に設定し（ステップＳ４３９）、３原色ＬＥＤアレイ２１の発光制御を行なうことで「黄白色」により商品見本の照明を行う（ステップＳ４２２）更に、湿度データが、例えば、４０％以下の「低湿」の分類に属すると判定された場合（ステップＳ４２８“低湿”）、制御部２０は、３原色ＬＥＤアレイ２１の光色を「黄白色」に設定し（ステップＳ４４０）、３原色ＬＥＤアレイ２１の発光制御を行なうことで「黄白色」により商品見本の照明を行う（ステップＳ４２２）。
【００６７】
なお、ステップＳ４０１の人の接近判定処理で近接センサ２２４がＯＮの場合（ステップＳ４０１“Ｎｏ”）、制御部２０は、３原色ＬＥＤアレイ２１の光色を「白色」に設定し（ステップＳ４４１）、３原色ＬＥＤアレイ２１の光色制御を行なうことで「白色」により商品見本の照明を行う（ステップＳ４２２）。すなわち、以前の調光制御により如何なる色に光色制御されていたとしても、利用者の接近が検知された場合に「白色」に強制的に変更することで、商品見本の視認性を高めることが出来る。
【００６８】
上記したように本実施形態に係る照明装置２によれば、制御部２０は、予め定められた複数の色調パターンを記憶する記憶部を含み、センサ部２２によって測定される光量の条件と、測定される温度により分類される条件（例えば、常温、高温、低温）と、及び測定される湿度により更に分類される条件（例えば、常湿、高湿、低湿）との組み合わせに対応する色合いを、前記色調パターンに基づいて決定し、３原色光源の光色を前記決定した色合いになるように制御する
【００６９】
本実施形態によれば、気象条件に応じた自動販売機３０の使用環境の変化に対応した光源の光色の変更を可能とし、商品見本の視認性の向上がはかれる。具体的には、照明の色調を天候に対応して調整することで、雨や雪、霧の時であっても、従来より遠い場所から商品見本が見えやすくなる。また、自動販売機３０の照明は、住宅街等では街路灯としての役割も担い、防犯にも貢献しているが、本実施形態の照明装置２によれば、雨や霧等の悪天候時には、黄色系の乱反射しにくい波長の光に調光することで街路灯としての効果が期待できる。また、波長によっては夏場に虫が寄ってくることを防ぐことも可能である。更に、寒い日には赤みを入れた暖色系の色合いとし、暑い日には、白から青に近い波長で涼しげな色合いに光色制御することで自動販売機３０の販売促進に貢献に寄与することも可能である。
【００７０】
なお、本実施の形態において、３原色光源として、３原色ＬＥＤアレイ２１を使用するものとして説明したが、発光原理としてＬＥＤと同じエレクトロルミネンス効果を利用する有機ＥＬ（Organic Light Emitting Diode）でも代替が可能である。
【００７１】
また、本実施形態において、測定される温度に関し、「常温」、「高温」、「低温」、「氷温」の４つに分類し、また、測定される湿度に関し、「常湿」、「高湿」、「低湿」の３つに分類し、それぞれの範囲を定義したが、ここで、分類する数、及び範囲は共に任意である。
【００７２】
また、例えば、図５に表形式で示されるように、露出データと気温データと湿度データとの組み合わせに基づき、視界良好パターン＃１〜＃４と、視界不良パターン＃１〜＃４の合計８パターンの合計２４色の調光（＋近接センサＯＮによる強制白）による色合いの組み合わせについて説明したが、色合いの種類は無限であり、また、このパターンに制限されるものではなく任意である。
【００７３】
また、本実施形態において、照明装置２を自動販売機３０に適用した場合のみ例示したが、自動販売機３０に限らず、レストランにおけるショーウィンドウの照明等への適用も考えられる。
【００７４】
なお、本実施形態において、制御部２０が有する機能は、全てをソフトウェアによって実現しても、あるいは少なくともその一部をハードウエアで実現してもよい。例えば、制御部２０が、センサ部２２により測定され、取得される、光量、温度、湿度の組み合わせに応じて決まる条件に従い３原色光源の光色を設定を行うデータ処理は、１または複数のプログラムによりコンピュータ上で実現しても良く、また、少なくとも一部をハードウエアで実現してもよい。
【００７５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００７６】
１  自販機本体
２  照明装置
３  商品見本
２０  制御部
２１  ３原色ＬＥＤアレイ（３原色光源）
２２  センサ部
２３  電源部
３０  自動販売機
２２１  温度計
２２２  湿度計
２２３  露出計
２２４  近接センサ
【図１】
2011123628.tif 000003
【図２】
2011123628.tif 000004
【図３】
2011123628.tif 000005
【図４】
2011123628.tif 000006
【図５】
2011123628.tif 000007